(57)【特許請求の範囲】
【請求項１】
水平断面が４隅にアールを有する略４角形のトレイ状の身と、該身に対して嵌合する被せ蓋とからなる身蓋カートンであって、前記身の外面が、４隅に外向きに膨らむアールのある端縁を有する略４角形の底板と、該底板の４辺に折線を介して連接された４枚の略垂直な側板と、隣接する該側板の左右短辺縁と前記底板の端縁とによって囲われる間隙を前記底板の端縁と略同一の外向きに膨らむアールをもって閉鎖する４枚の垂直曲面とから形成され、前記被せ蓋の外面が、４隅に前記身の前記底板の端縁と略同形の外向きに膨らむアールのある端縁を有する略４角形の天板と、該天板の４辺に連接されそれぞれ隣り合う前記端縁間を結ぶ中央で膨張し両端で閉じる凸レンズ断面状の２重折線によって囲われてなる４枚の２重折線領域と、該２重折線領域の外側に連接された４枚の略垂直な側板と、隣接する該側板の左右短辺縁と前記天板の端縁とによって囲われる間隙を前記天板の端縁と略同一の外向きに膨らむアールをもって閉鎖する４枚の垂直曲面とから形成され、前記天板は中央部が緩く持ち上がる凸面となり、前記２重折線領域の４面はそれぞれ凹面となり、前記側板の４面はそれぞれ中央上部が緩く外側に膨らむ凸面となり、前記４枚の垂直曲面はそれぞれ凸面となる１３面の立体形状であり、かつ、前記身の側板の上辺はそれぞれ、前記被せ蓋の前記２重折線領域の部分的な曲面に合わせた曲線状に打ち抜かれていることを特徴とする身蓋カートン。
【請求項２】
前記身と被せ蓋それぞれが、一枚のカートンブランクより組み立てられることを特徴とする請求項１に記載の身蓋カートン。
【発明の詳細な説明】
【０００１】
【発明の属する技術分野】
本発明は，多面形状の被せ蓋を有する身蓋カートンに関する。
【０００２】
【従来の技術】
従来から、身蓋カートンは、キャンディ−、チョコレート等の小物贈答品に使用されるパッケージとして、種々の外観形状を有するものが実用、あるいは提案されている。
例えば、特開平７−７６３３５号公報には、側壁部の水平断面が８角形であって、１７面から構成された被せ蓋を有する身蓋カートンが提案されている。そして、この身蓋カートンにおいては、身と被せ蓋それぞれが一枚のカートンブランクを折り込んで側壁部がそれぞれ二重構造になるように形成されている。
【０００３】
【発明が解決しようとする課題】
一般に、身蓋カートンの外観は主として被せ蓋の形状によって決定される。これまでの身蓋カートンの外観は多角柱体をベースとして、これに若干の外面形状の変化を加え、略水平な多角面から構成されるものが多いが、いずれもカートン特有の角張った形状からの脱却が難しく、フォルム全体に固さが残り、意匠性、高級感において十分に満足されるものは少なく、従って店頭における訴求効果も不足しているという問題があった。
さらに、意匠性、高級感の点でかなり高いレベルにあっても、特開平７−７６３３５号公報にみられるように、複雑な組み立て構造を余儀なくされ、組み立て時間、材料コストがかかり過ぎるという問題があった。
本発明はかかる問題点に鑑みてなされたもので、本発明は、板紙による紙容器でありながら、構造的に主要な部分の表面に曲面を持たせることによって外観をソフトなものとし、意匠性に優れ、高級感があり、従って店頭での訴求効果に優れ、しかも、身、被せ蓋とも一枚の最小限のブランクからカートンエレクティングマシン等によって効率良く組み立てることができる身蓋カートンの提供を目的とする。
【０００４】
【課題を解決するための手段】
本発明による身蓋カートンは、水平断面が４隅にアールを有する略４角形のトレイ状の身と、該身に対して嵌合する被せ蓋とからなる身蓋カートンであって、前記身の外面が、４隅に外向きに膨らむアールのある端縁を有する略４角形の底板と、該底板の４辺に折線を介して連接された４枚の略垂直な側板と、隣接する該側板の左右短辺縁と前記底板の端縁とによって囲われる間隙を前記底板の端縁と略同一の外向きに膨らむアールをもって閉鎖する４枚の垂直曲面とから形成され、前記被せ蓋の外面が、４隅に前記身の前記底板の端縁と略同形の外向きに膨らむアールのある端縁を有する略４角形の天板と、該天板の４辺に連接されそれぞれ隣り合う前記端縁間を結ぶ中央で膨張し両端で閉じる凸レンズ断面状の２重折線によって囲われてなる４枚の２重折線領域と、該２重折線領域の外側に連接された４枚の略垂直な側板と、隣接する該側板の左右短辺縁と前記天板の端縁とによって囲われる間隙を前記天板の端縁と略同一の外向きに膨らむアールをもって閉鎖する４枚の垂直曲面とから形成され、前記天板は中央部が緩く持ち上がる凸面となり、前記２重折線領域の４面はそれぞれ凹面となり、前記側板の４面はそれぞれ中央上部が緩く外側に膨らむ凸面となり、前記４枚の垂直曲面はそれぞれ凸面となる１３面の立体形状であり、かつ、前記身の側板の上辺はそれぞれ、前記被せ蓋の前記２重折線領域の部分的な曲面に合わせた曲線状に打ち抜かれていることを特徴とするものである。また、前記身と被せ蓋は、一枚のカートンブランクよりそれぞれ組み立てられてもよい。
【０００５】
【発明の実施の形態】
本発明を図面を用いて、更に詳しく説明する。
図１は、本発明による身蓋カートンの被せ蓋のカートンブランクの展開図である。
本発明による身蓋カートンの被せ蓋のカートンブランク１０’は、図１に示すように、４隅に身の底板１１と略同形の外向きに膨らむ端縁Ｒを有する略４角形の天板１の４辺に、折線ａを介して中央で膨張し、両端で閉じる凸レンズ断面状の２重折線ａｂによって囲まれてなる２重折線領域６を連接し、その外側に折線ｂを介して４枚の垂直な側板２、３を連接し、そのなかの対向する一対の側板３の両端を延長して４枚の垂直曲面形成部４’と４枚の糊代５をこの順に設けてなるものである。なお糊代５は成型時に側板２の背後に回る部分であって、糊代５の上側（図１では内側）端縁は、側板２の円弧状の上辺に合わせて打ち抜かれている。
また、被せ蓋のカートンブランク１０’の板紙の剛性が強く、曲げ抵抗が大きい場合にはカートンブランク１０’からの成形が難しくなるので、垂直曲面形成部４’には図１に示すような複数の平行な弱め線（ミシン目、ハーフカット線等）を設けておくことが好ましい。板紙の剛性が低い場合には、このような弱め線を設ける必要はない。さらに、２重折線ａｂについても、板紙の剛性が強い場合には、通常の罫線にハーフカットを加えた、所謂リード罫の採用が好ましい。
【０００６】
図２は、本発明による身蓋カートンの身のカートンブランクの展開図である。
身のカートンブランク２０’は、トレイ状の身に組み立てられるものであって、種々の実施例の提案が可能である。
図２は、一つの実施例の展開図であって、この場合の、身のカートンブランク２０’は、４隅にアールのある４角形の底板１１を中心にしてその４辺のなかの対向する２辺に折線を介して２枚の矩形状の側板１２を連接し、残る２辺に折線を介して２枚の矩形状の側板１３を連接し、それらの両端を延長して４枚の垂直曲面形成部１４’と糊代１５をこの順に設けたものである。
本発明による身蓋カートン３０の身２０の側板１２、１３の上辺は、構造上、強度的にも、また被せ蓋１０との嵌合時の感触的にも、被せ蓋１０の天板１に接触することが好ましく、天板１の裏面の部分的な曲面に合わせた曲線状に打ち抜かれている。
垂直曲面形成部１４’には、剛性の強い板紙の場合に、図２に示すような複数の平行線状の弱め線（ミシン目、ハーフカット等）を設けるようにしてもよい。
身のカートンブランク２０’の展開図は、図２に示すものに限定されるものではなく、水平断面が４隅にアールのある４角形のトレイ状に成形されるものであればどの様なものであってもよい。ただし、一枚のカートンブランクから組立られることが望ましい。
【０００７】
図３は、本発明による身蓋カートンの斜視図である。図３（ａ）は身蓋カートン３０の嵌合状態、図３（ｂ）は身蓋カートン３０の開いた状態をそれぞれ示している。
本発明による身蓋カートン３０は、図１に示すカートンブランク１０’と図２に示すカートンブランク２０’からそれぞれ組み立てられた被せ蓋１０と身２０からなるものであって、その外観は、被せ蓋１０の外形によって決定される。
すなわち、本発明による身蓋カートン３０の被せ蓋１０は、４隅にアールのある４角形状の天板１と、その４辺に連接する４枚の２重折線領域６と、それらに延設する４枚の側板２、３、と、側板２の両端を延長して設けた４枚の垂直曲面４から構成される１３面体状である。
ここで着目すべきは、天板１の４辺に２重折線領域６を２重折線ａ、ｂによって強制的に内側に折り込んで凹面とするために、他の全ての面がこの成形の影響を受けて、全面若しくは一部において僅かに凸面を呈していることである。
すなわち、天板１全体は、中央部が緩く持ち上がる凸面となり、４枚の側板２、３もその中央上部が緩く外側に膨らむ凸面となっている。そして４枚の垂直曲面４はまさに凸面そのものである。
【０００８】
本発明による身蓋カートン３０の１３面体からなる被せ蓋１０は、全ての面が、程度の差こそあれ曲面であることから、どの角度から目視してもこれらの曲面は目に入り、これまでのカートン特有の角張った感じは全く消失し、ソフトでユニークな高度な意匠性と、高級感を有している。
また、板紙に対する自由度の高いプレプリント方式が採用できるため、被せ蓋のフォルムと印刷によるグラフィックデザインの相乗効果を発揮してこれまでに見られない優れた意匠性と高級感を生み出すことができる。従って、キャンディ−、チョコレート等の小物贈答品のパッケージとして効果を発揮する。
キャンディ−、チョコレート等は一次包装されて本発明による身蓋カートン３０に箱詰めされるが、その外側をさらに熱収縮性フィルム、ストレッチフィルム等でオーバーラッピングすることがバリアー性、防塵性の付与、さらに悪戯防止の点から好ましい。
【０００９】
本発明による身蓋カートン３０には、アイボリー、カード、マニラ、コートボール等広範囲の板紙の使用が可能であり、坪両も２９０〜４８０ｇ／ｍ2 の範囲で使用が可能である。また裏面に再生紙を使用した所謂「裏ネズ」のコートボールの使用も可能である。
また、板紙の片面もしくは両面にポリオレフィン系樹脂層を有する板紙を使用してもよい。
さらに、外面に金属光沢のあるアルミ箔や、光沢のある樹脂層等を設けることにより、一点から目視した時に、各面ごとに異なる光沢を示す多面体が得られ意匠性をさらに高めることができる。
【００１０】
本発明による身蓋カートンの蓋のカートンブランク１０’は、枚葉もしくは巻き取り状態の板紙に印刷してから打ち抜かれるものであって、プラスチック成形品等に対する印刷と異なるプレプリントであって、印刷の自由度は高く、オフセット、グラビア、フレキソ、シルクスクリーン等の公知のいかなる印刷手段の使用も可能である。
さらに、箔押し、エンボス、ラベリング等の印刷後の表面加工も自由に行うことができる。
また、本発明による身蓋カートン３０のカートンブランクからの機械的な成形は、従来のカートンエレクティングマシンを若干改造するだけで十分可能であり、新規に設計製造する必要はない。またシュリンクフィルム等によるオーバーラッピングも従来の装置がそのまま利用ができる。
【００１１】
以上説明した本発明による身蓋カートン３０の被せ蓋１０と身２０をコートボール（裏白）３１０ｇ／ｍ2 （大昭和製紙（株）製）を用い、図１と図２に示した各部寸法を有するカートンブランク１０’、２０’からそれぞれ手作業で組み立て、これらを嵌合して、本発明による身蓋カートン３０の実施例サンプルを作成した。なお、糊代１５には先端部の６．３ｍｍの部分だけに糊付けを行った。
実施例サンプルの１４面体からなる造形は、ユニークな、訴求効果のあるものとなり、意匠性に優れ、高級感のあるものとなった。
なお、プレプリントにはオフセット印刷を採用し、全面にワニスのオーバープリントを施した。
【００１２】
本発明による身蓋カートン３０は、以上の実施の態様と図面の記載に限定されることなく、本発明の要旨を逸脱しない範囲内で種々の変形が可能である。
例えば、天板１、底板１１は必ずしも正方形でなくともよい。また天板１の一部に窓貼り等の加工が施され中身を見せるようにしてもよい。
【００１３】
【発明の効果】
本発明による身蓋カートンによれば、板紙という安く、環境負荷の少ない素材を最小限に使用して、被せ蓋２０の１３面をすべて曲面によって構成することによって、これまでにないソフトでユニークな造形をもたせることができ、より強い訴求効果があり、より高度な意匠性と高級感のあるギフト用パッケージを提供することができる。
従って、店頭での訴求化、差別化の効果のみならず、チョコレート、キャンディー等は無論、その他一般の小物ギフト用パッケージとして利用でき、ギフトの送り手、受け手双方に満足感を与えることができる。
また、組み立てには新規なカートンエレクティングマシンの設置の必要はなく、必要最小限度の面積のカートンブランクから組み立てることができる。
さらに、使用後はフラットなブランク状態に戻して減容化してから廃棄することができ、しかも焼却し易いという環境負荷の少ないパッケージを提供することができる。
【図面の簡単な説明】
【図１】本発明による身蓋カートンの被せ蓋のカートンブランクの展開図
【図２】本発明による身蓋カートンの身のカートンブランクの展開図
【図３】本発明による身蓋カートンの斜視図
【符号の説明】
１    天板
２、３    側板
４’  垂直曲面形成部
４    垂直曲面
５    糊代
６    ２重折線領域
１０    本発明による身蓋カートンの被せ蓋
１０’  本発明による身蓋カートンの被せ蓋のカートンブランク
１１    底板
１２、１３    側板
１４’  垂直曲面形成部
１４    垂直曲面
２０    本発明による身蓋カートンの身
２０’  本発明による身蓋カートンの身のカートンブランク
３０    本発明による身蓋カートン
ａ，ｂ    折線
ａｂ    ２重折線
【図１】
0004736186.tif 000002
【図２】
0004736186.tif 000003
【図３】
0004736186.tif 000004